(57)【特許請求の範囲】
【請求項１】
楕円形のテーブル面を形成する一対のテーブルトップ部材を有してなり、各テーブルトップ部材は、直線状のエッジと、直線状のエッジからの最大距離を規定するアーチ状のエッジとを有し、および、直線状のエッジとアーチ状のエッジとが交差しており、
使用位置と折り畳まれた収納位置との間でテーブルトップ部材を中心線において折り畳む折畳機構を有してなり、
各テーブルトップ部材のアーチ状のエッジを越え且つ直線状のエッジからアーチ状のエッジまでの最大距離よりもさらに離間した少なくとも２つの第１の腰掛けと、テーブルトップ部材のアーチ状のエッジを越えて且つ直線状のエッジとアーチ状のエッジとが交差する横方向外方に離間した第２の腰掛けとを含む、テーブルトップ部材の周囲に配置された複数の腰掛けを有してなり、
複数の支持脚を有してなり、各腰掛けは支持脚を含んでおり、
支持脚を折畳機構に連結する支持枠を有してなり、
一対のテーブルトップ部材の一方の下面に枢着されるストッパーを有してなり、ストッパーは支持枠の立上部に当接するクロスバーを含んでおり、
テーブルトップ部材を折り畳んだ時に、折畳機構に連結された支持枠を介して支持脚に取り付けられた腰掛けも、そのままテーブルトップ部材の折り畳みに連動して使用位置から収納位置に移動することを特徴とする折畳式テーブルと椅子の組み合わせ装置。
【請求項２】
直線状のエッジとアーチ状の外側エッジとを有する非矩形状の一対のテーブルトップ部材と、
両直線状のエッジに沿う中心線で両テーブルトップ部材を折り畳まれない使用位置と折り畳まれた収納位置との間で折り畳む折畳機構と、
使用位置および収納位置において外側エッジを越えた外方に位置する腰掛けを含み、各テーブルトップ部材の外側エッジの周辺に配置された複数の腰掛けと、
テーブルトップ部材を支持すると共に折畳機構に取り付けられ、また、各腰掛けまで延在する支持枠と、
支持枠に連結された複数の脚部と、
一対のテーブルトップ部材の一方の下面に枢着されて支持枠の立上部に当接するクロスバーを含むストッパーとで構成され、
テーブルトップ部材を折り畳んだ時に、折畳機構に連結された支持枠を介して脚部に取り付けられた腰掛けも、そのままテーブルトップ部材の折り畳みに連動して使用位置から収納位置に移動することを特徴とする折畳式テーブルと椅子の組み合わせ装置。
【請求項３】
２つの対向するテーブルトップ部材を有してなり、各テーブルトップ部材は直線状のエッジとアーチ状のエッジとを有し、直線状のエッジが互いに対向しており、
各テーブルトップ部材を支持する支持枠を有してなり、
両テーブルトップ部材が水平に延びるテーブル面を形成する使用位置と両テーブルトップ部材が実質的に互いに対面する収納位置との間で両テーブルトップ部材を折り畳む折畳機構を有してなり、
各テーブルトップ部材の支持枠に取り付けられた４つの腰掛けを有してなり、２個の第一腰掛けは、それと関連するテーブルトップ部材のアーチ状のエッジ頂点の周囲で離間され、また、２個の第二腰掛けは、それと関連するテーブルトップ部材のアーチ状のエッジの周囲で、該第一腰掛けから横方向外方およびアーチ状のエッジの各端を越えて横方向外方に離間されており、
複数の支持脚を有してなり、各腰掛けは支持脚を含んでおり、
一対のテーブルトップ部材の一方の下面に枢着されるストッパーを有してなり、ストッパーは支持枠の立上部に当接するクロスバーを含んでおり、
テーブルトップ部材を折り畳んだ時に、折畳機構に連結された支持枠を介して支持脚に取り付けられた腰掛けも、そのままテーブルトップ部材の折り畳みに連動して使用位置から収納位置に移動することを特徴とする折畳式テーブルと椅子の組み合わせ装置。
【請求項４】
２つの対向するテーブルトップ部材を有してなり、各テーブルトップ部材は直線状のエッジとアーチ状のエッジとを有し、テーブルトップ部材が楕円のテーブル面を形成しており、
支持枠を有しており、
支持枠に取り付けられて、両テーブルトップ部材が実質的に水平である使用位置と両テーブルトップ部材が実質的に垂直である収納位置との間で両テーブルトップ部材を中心線において折り畳む折畳機構を有しており、
使用位置および収納位置においてテーブルトップ部材のアーチ状のエッジの最も遠い部分を越えて外方に離間する少なくとも１つの第一腰掛けと、直線状のエッジ端を越えて横方向外方に離間している少なくとも１つの第二腰掛けとを含む、テーブルの周囲に配置された複数の腰掛けを有し、
支持枠に連結された複数の支持脚を有してなり、各腰掛けは支持脚を含んでおり、
一対のテーブルトップ部材の一方の下面に枢着されるストッパーを有してなり、ストッパーは支持枠の立上部に当接するクロスバーを含んでおり、
テーブルトップ部材を折り畳んだ時に、折畳機構に連結された支持枠を介して支持脚に取り付けられた腰掛けも、そのままテーブルトップ部材の折り畳みに連動して使用位置から収納位置に移動することを特徴とする折畳式テーブルと椅子の組み合わせ装置。
【請求項５】
折り畳まれた位置と折り畳まれない位置との間で折り畳まれるテーブルを有してなり、
折り畳まれない位置において略円形の平面を、および、折り畳まれた位置において一対の略平行な垂直面を形成する一対の半円形のテーブルトップ部と、
折り畳まれない位置においてテーブルトップ部の周囲で実質的に等しく離間した腰掛けのセットと、
折り畳まれた位置および折り畳まれない位置において各腰掛けを水平に維持し、各テーブルトップ部および各腰掛けに連結された折り畳み支持枠と、
支持枠に連結された複数の支持脚と、
一対のテーブルトップ部を折り畳まれない位置と折り畳まれた位置との間で折り畳む折畳機構と、
一対のテーブルトップ部の一方の下面に枢着されて支持枠の立上部に当接するクロスバーを含むストッパーとを有し、
テーブルトップ部を折り畳んだ時に、折畳機構に連結された支持枠を介して支持脚に取り付けられた腰掛けも、そのままテーブルトップ部の折り畳みに連動して折り畳まれない位置から折り畳まれた位置に移動することを特徴とする折畳式テーブルと椅子の組み合わせ装置。
【請求項６】
折り畳まれた位置と折り畳まれない位置との間で折り畳まれるテーブルを有してなり、
折り畳まれない位置において略非長方形の平面を、および、折り畳まれた位置において一対の略平行な垂直面を形成する一対のテーブルトップ部と、
折り畳まれない位置においてテーブルトップ部の全体の周囲に配置された腰掛けのセットと、
折り畳まれた位置および折り畳まれない位置において各腰掛けを水平に維持し、各テーブルトップ部および各腰掛けに連結された折り畳み支持枠と、
支持枠に連結された複数の支持脚と、
一対のテーブルトップ部を折り畳まれない位置と折り畳まれた位置との間で折り畳む折畳機構と、
一対のテーブルトップ部の一方の下面に枢着されて支持枠の立上部に当接するクロスバーを含むストッパーとを有し、
テーブルトップ部を折り畳んだ時に、折畳機構に連結された支持枠を介して支持脚に取り付けられた腰掛けも、そのままテーブルトップ部の折り畳みに連動して折り畳まれない位置から折り畳まれた位置に移動することを特徴とする折畳式テーブルと椅子の組み合わせ装置。
【発明の詳細な説明】
【０００１】
【発明の属する技術分野】
本発明は、折畳式テーブルとそれに付随する椅子の組み合わせ装置に関し、更に詳しくは、使用位置と収納位置間で折り畳める非矩形形状のテーブルと椅子の組み合わせ装置に関するものである。
【０００２】
【従来の技術】
ダイニングルーム・ミーティングホール・ダンスホールなど、種々の時間帯に利用されている広くて多目的の部屋においては、多目的家具を用いることがしばしば望まれている。この家具としては、一般的に、テーブル・背凭れのある椅子・ベンチ乃至腰掛けなどの他に、テーブルと椅子の組み合わせ体がある。このような家具は、折畳式であれば、その収納スペースが最小で済むという付加価値がある。
【０００３】
折畳式テーブルとそれに付随する腰掛け乃至ベンチは公知であり、比較的少ないスペースが求められる座席とテーブルの空間を提供する。このような折畳式テーブルは、一般的には、矩形形状を呈し、中心線に沿って折り畳めるようになっていて、テーブルの両脇に沿ってベンチ乃至腰掛けが配置されているが、両端部には座席がない。
【０００４】
折畳式テーブルの例としては、米国特許第２，７７１，９３７号公報・同第３，０７５，８０９号公報・同第３，０９９，４８０号公報に示されているものがあるが、これらは全てウィルソンによる発明で、本発明の譲受人であるサイコインコーポレーテッドに譲渡されたものである。これらのテーブルは、両脇に沿って椅子がある折畳式家具を提供することには成功しているが、依然として改良の余地が残されている。
【０００５】
【発明が解決しようとする課題】
特に、若い子供たちが集う、ある種の教育・ダイニング・その他の用途にとっては、座席を直線の配置よりも幾らか円形の配置にする方が好ましいことは理解できる。このような配置にすれば、座っている人たちの位置が均等化するし、テーブルの中心にアクセスするのがより好都合となる。このような配置であれば、場所に合わせた寸法にすることができ、与えられたスペースに座席を追加することもできる。楕円形のテーブルや折畳式のテーブル自体はこれまで知られているが、使用位置から収納位置に折り畳める非矩形形状の折畳式テーブルの周囲に腰掛ける、テーブルと椅子の組み合わせユニットは提供されていない。
【０００６】
折畳式のテーブルにとっては、折り畳む際に、取り扱う人の手や指が挟まれないようにする安全性が問題となる。又、構造体を移動するのにより適した折り畳んだ状態が存在すると良い。
【０００７】
そこで、椅子付きの新規で改良された折畳式テーブルが求められていることが分かる。座席をテーブルの周囲に均等に配置した楕円形のテーブルと椅子の組み合わせ装置は、従来技術では期待できない利点を提供できる。その上、床スペースが最小で済むし、使用位置から収納位置へ安全に折り畳める楕円形の折畳式テーブルは更なる利点を提供できる。本発明は、これらに着目すると共に、その他の折畳式テーブルと椅子の組み合わせ装置に関連する問題点に取り組んだものである。
【０００８】
【課題を解決するための手段】
本発明は、椅子付き折畳式テーブルに関し、特に、楕円形の折畳式テーブルと椅子の組み合わせ装置に関するものである。この折畳式テーブルは、例えば、半円形状を呈する一対のテーブルトップ部材を有し、各部材の直線状のエッジに沿って折り畳める構造となっている。テーブルは、ロックによって広げた使用位置に保持され、テーブルトップ部材のエッジ近傍の中心軸から下方に延びる端部ハンドルにアクセスすることによって、ロックは容易に解除できる。
【０００９】
支持枠は、下方向に延び且つ外方向に延びて８個の腰掛けに連結され、各テーブルトップ部材の湾曲する外周に４個の腰掛けが間隔をおいて配置されている。各腰掛けの下方に延びる車輪又は脚部により、テーブル全体の周囲に間隔を持った支持体を構成している。上記支持枠は、各腰掛けの下方からテーブルトップ部材に向かって内方に延び、人のアクセスや座席の心地よさを阻害することなく、腰掛けに容易に腰掛けることができる。
【００１０】
折畳機構によって、テーブルトップ部材を平坦な水平位置からテーブルトップ部材の下面が互いに対向する垂直位置へ折り畳む。折畳位置にあるテーブルトップ部材の両端の周囲に腰掛けが折り畳まれて、広げた使用位置よりも遥かに小さい床スペースで済む。折畳位置で、テーブルと椅子の組み合わせ構造体が４個の車輪に支持され、所望の場所へ転がせるようになっている。テーブルは完全な折畳位置にロックされるので、移動させる状態が改善される。
【００１１】
本発明の上記した新規な特徴やその他の種々の利点は、発明の一部を構成する特許請求の範囲内に特に述べられている。しかしながら、この発明の利点及びその使用によって得られる目的をより理解してもらうためには、発明の一部を構成する図面と、発明の好適な実施の形態の記載を参照してほしい。
【００１２】
【発明の実施の形態】
本発明を図示する好適な実施の形態に基づいて詳述する。
図面、特に、図１に、テーブル１０を示す。このテーブル１０は、折畳支持枠１２を有する一対の対向するテーブルトップ部材１４から成り、各テーブルトップ部材１４に４個ずつ合計８個の腰掛け１６がテーブル１０の周囲に間隔を保って配置されて、テーブル１０のエッジ近傍に座席を提供している。腰掛け１６は、略均等の間隔で配置され、８人が夫々の自分の着席空間を邪魔されずにテーブル１０に座れるようになっている。
【００１３】
テーブル１０には折畳機構１８が設けられ、テーブル１０を図１に示す使用位置と、図２に示す折畳収納位置間で折り畳めるようになっている。収納位置では、テーブルトップ部材１４は下面を互いに対面した状態で、垂直方向に延びる位置に折り畳まれるが、腰掛け１６の座席面は略水平状態のままである。広げた使用位置では、テーブル１０は、４個の腰掛け１６の下方にある支持脚２２と、残りの４個の腰掛け１６の下方にある支持脚２２に付設されたキャスター乃至車輪２０で支持されている。折畳収納位置では、テーブル１０は４個の車輪２０で支持され、テーブル１０を所望の場所へ転がして移動できるようになっている。
【００１４】
折畳機構１８には、テーブル１０を広げた使用位置にロックするラッチが設けられている。このラッチは、テーブルトップ部材１４の下で、折畳機構１８の中心線に沿ってエッジ近傍へ延びて上から見えない第一ロックとなるロック部材５０を有し、このロック部材５０は、これに連結されているハンドル５２を持ち上げることによって容易に後述する外側枢軸部材から解放できるようになっていて、これにより、テーブル１０を折り畳むことができる。
【００１５】
図１・図４及び図５に最も明らかに示されているように、支持枠１２は、半円形状のテーブルトップ部材１４の下方でピボット４８から張り出す立上部３２を有している。テーブルトップ部材１４は、直線状の内側エッジと、ここでは円として示されている楕円を形成するアーチ状の外側エッジとを有している。矩形でない他の形状、例えば、八角形その他の多角形の使用も考えられるが、この場合の好ましい形態としては、隣接する腰掛け１６を、最も近い直線部分又はアーチ状のエッジを中心に配置して、テーブル１０の周囲に等間隔に置くことである。
【００１６】
上記した立上部３２は、水平部３４に延びて、腰掛け支持脚２２に導かれる一方、中央の折畳線に最も近い腰掛け１６は、二重の枠部材３８Ａ・３８Ｂに導かれる立上部３３を有する枠を備えている。更に、横方向の枠部材３６により、最も端の腰掛け１６の水平部３４への支持を補強している。二重構造は、腰掛け１６の補強となる。
【００１７】
図４及び図６において、折畳機構１８は、２枚のテーブルトップ部材１４の直線状エッジを連結する折畳中心軸に沿う対の関係にある外側枢軸部材２６を有している。更に、折畳機構１８は、枠の枢軸４６とテーブルトップ部材１４とに取り付けられ、最外の腰掛け１６のテーブル立上部３２を連結するクロス部材３０に設けられている枢軸部材４０に取り付けられる第一リンク部材４２と第二リンク部材４４を備えている。
【００１８】
ロック部材５０は、テーブルトップ部材１４の中心線に沿って延び、持ち上げられると、折畳機構１８の相補的カム式の外側枢軸部材２６を解放する。ロックハンドル５２は、テーブルトップ部材１４の下面で、且つ、エッジ近傍で、下方向に延び、上方からは隠れて見えないので、指や手を挟む恐れもなく、容易にアクセスできる。
【００１９】
ロック部材５０の中心部は、テーブルトップ部材１４の中心のエッジからずれていて、腰掛けている人が容易にロック部材５０を掴めないようになっている。ロック部材５０の中心部は、握れない位置へ移動され、座っている人の手がテーブルトップ部材１４間に挟まれる恐れを減少させる。広げた使用位置で、ロック部材５０は外側枢軸部材２６に係合されて、テーブル１０は折り畳めなくなる。又、テーブル１０を使用位置に広げる場合には、このロック部材５０は、一旦、外側枢軸部材２６からの完全解放には少し及ばない位置で折畳機構１８をも止めて、ロック部材５０が再作動するまで、テーブルトップ部材１４の内側エッジ同士で手が挟まれるのを阻止するという追加的な安全性を提供する。
【００２０】
手でロック部材５０をハンドル５２を介して開いた状態にして、外側枢軸部材２６との係合を解除することにより、テーブル１０はロック部材５０から完全解放されることとなる。折畳機構１８には、トーションスプリングが設けられ、折畳収納位置と使用位置との間の折り畳み動作を補助したり制御したりできるようになっている。このトーションスプリングは、テーブルが期待外れに折り畳まれたり、広げられたりするのを阻止する役割も有しており、ロック部材５０を作動させるのに適用される。
【００２１】
折畳機構１８は、制御された態様で、テーブル１０の折畳収納位置及び使用位置間の折り畳み動作を行なう。この折畳機構１８は、折畳収納位置と使用位置のいずれの位置であっても、腰掛け１６の座席面を略水平位置に保持する働きもある。又、支持枠１２は、テーブル１０が折畳収納位置と使用位置のいずれにおいても、容易に傾斜できない支持台となる。
【００２２】
図７及び図８に示されるように、第二ロックとなるストッパー７０は、テーブル１０の移動中に、より大きな安定性を提供するために利用されるものである。テーブル１０が折り畳まれると、テーブル１０が車輪２０だけによって支持される折畳収納位置に容易に押し込めることができるが、完全に折り畳まれるのを阻止して、テーブル１０の重心を僅かに低くすることにより、移動中に、テーブル１０が転倒することを防止して、移動の安定性を確保するものである。
【００２３】
即ち、ストッパー７０は、テーブルトップ部材１４の一方の下面で、そのフレームに枢着されて、図８に示される如く、支持枠１２の立上部３３に当接するクロスバー７２を備えている。ストッパー７０は、重力により宙吊りにされていて、図８の破線で示されているように、テーブル１０が折り畳まれていくと、ストッパー７０のクロスバー７２が支持枠１２の立上部３３に当接して、テーブル１０が完全に折り畳まれるのを阻止し、逆に、手で持ち上げて立上部３３に対するクロスバー７２の当接を解除すると、図２に示される如き限られたスペースへの収納に適合するように、テーブル１０を完全に折り畳めることができる。ストッパ７０は、テーブル１０を広げると、自動的に垂れ下がることとなる。
【００２４】
支持枠１２は、利用者が例え座っていても、支持脚２２が利用者の邪魔にならないように保持する一方、各腰掛け１６を支持している。又、支持枠１２のおかげで、無理な規制もなく、座るために、腰掛け１６に容易にアクセスできる。
【００２５】
本発明の設計によれば、支持枠１２の水平部分は、テーブルトップ部材１４の頂点に最も近い腰掛け１６から、又、同様に、折畳中心軸に沿う腰掛け１６から、内方に延びている。テーブルトップ部材１４の各側の腰掛け１６は、隣接する腰掛け１６間を開放して、着席位置と離席位置間の妨げのない容易な出入りを可能にする。腰掛け１６間のスペースは、支持枠１２からの妨げのない腰掛け間の通行に十分なゆとりがあるように広く取ってある。
本発明は、テーブルトップ部材１４の周囲に、略均等に腰掛け１６のスペースを取ってあり、各座席位置でテーブルトップ部材１４上のスペースを十分利用できるようになっている。
【００２６】
本発明の数々の特徴や利点を、本発明の構造や機能と共に上述したが、その記述は、あくまで説明であって、特に、形状・大きさ・部品の配置等を、本発明の原理の範囲内で、請求項で表現されている用語の広範な一般的な意味によって含有できる十分な範囲で細かな点まで変更が可能である。
【図面の簡単な説明】
【図１】本発明の原理による広げた使用位置にある折畳式テーブルと椅子の組み合わせ構造体を示す斜視図である。
【図２】図１に示された折畳式テーブルと椅子の組み合わせ構造体の折畳収納位置を示す斜視図である。
【図３】図１に示された折畳式テーブルと椅子の組み合わせ構造体の平面図である。
【図４】図１に示された折畳式テーブルと椅子の組み合わせ構造体の底面図である。
【図５】図１に示された折畳式テーブルと椅子の組み合わせ構造体の右側面図である。
【図６】図１に示された折畳式テーブルと椅子の組み合わせ構造体の正面図である。
【図７】図１に示された折畳式テーブルと椅子の組み合わせ構造体を一部折り畳んだ状態を示す斜視図である。
【図８】図１に示された折畳式テーブルと椅子の組み合わせ構造体の折畳位置での要部正面図であって、ストッパーの作動を説明している。
【符号の説明】
１０    テーブル
１２    支持枠
１４    テーブルトップ部材
１６    腰掛け
１８    折畳機構
２０    車輪
２２    支持脚
２６    外側枢軸部材
３０    クロス部材
３２    立上部
３３    立上部
３４    水平部
３６    枠部材
３８Ａ  枠部材
３８Ｂ  枠部材
４０    枢軸部材
４２    第一リンク
４４    第二リンク
４６    枢軸
５０    ロック部材
５２    ハンドル
７０    ストッパー
７２    クロスバー
【図１】
0004482172.tif 000002
【図２】
0004482172.tif 000003
【図３】
0004482172.tif 000004
【図４】
0004482172.tif 000005
【図５】
0004482172.tif 000006
【図６】
0004482172.tif 000007
【図７】
0004482172.tif 000008
【図８】
0004482172.tif 000009